(57)【要約】【課題】燃料の消費を削減し、作業時間を短縮することが可能な牧草分配装置を提供する。【解決手段】改良型牧草分配装置は、動力車（1）によって構成され、台車進行方向後方に、第1の剥離面(2.1)を有する解体部(2)を備え、収容部(3)の前方に、第2の収容斜面(3.1)を有するベールの収容部があり、少なくとも1面の傾斜プラットフォーム(11, 12)を備え、第1の剥離面(2.1)上の高さ、または第2の収容斜面(3.1)の高さに位置し、この高さは前記各面にそれぞれ位置するベール(4)の直径よりも高く、少なくとも1面の傾斜プラットフォーム(11, 12)は、ベールを積み下ろす第1端部(11.1, 12.1)およびベール保持の反対側に第2端部(11.2, 12.2)、同様に、保持手段および、少なくとも1面の傾斜プラットフォーム(11, 12)の傾斜手段を有する。【選択図】図１
2017509313.tif 000002
【特許請求の範囲】
【請求項１】
改良型牧草分配装置であって、
牛用飼料分配に使用され、飼料分配の行われる牧草地におけるいくつかの移動手段に適合可能な動力車（1）によって構成され、
台車進行方向後方に、第1の剥離面(2.1)を有する解体部(2)を備え、その上に円柱状の第1のベール(4)を設置し、前方には、第2の収容斜面(3.1)を有するベールの収容部を有し、少なくとも1個の追加ベール(4)に適しており、前記収容部（3）は、解体部(2)側に傾斜しており、前記解体部(2)は、第1の追加ベール（4)を、解体されたベール（20）の排出口(5)がある動力車の末端へ駆動させる手段を有しており、この高さは、水平軸の周囲を回転する一連の羽板（6）で定義され、
駆動手段の作動と移動と同時に、解体部(2)前方へ、ベールを押し出し、回転しながらベール(4)を解体し、第1の剥離面(2.1)上または第2の収容斜面(3.1)の高さに位置する少なくとも1面の傾斜プラットフォーム(11, 12)を備え、この高さは、前述の各面に位置するベール(4)の直径よりも高く、少なくとも1面の傾斜プラットフォーム(11, 12)にベールを動力車(1)に積み下ろす第1端部(11.1, 12.1)および、ベール保持の反対側に第2端部(11.2, 12.2)を有し、同様に、保持手段および、前記少なくとも１面の傾斜プラットフォーム(11, 12)の傾斜手段を有することを特徴とする。
【請求項２】
請求項１に記載の改良型牧草分配装置であって、
2面の傾斜プラットフォーム(11, 12)を備え、その１面は進行方向前方に、もう1面は後方に位置し、交互に作動可能であり、各第2端部(11.2, 12.2)間の距離は、2面の傾斜プラットフォーム(11, 12)の長さの合計よりも大きくなるように配置されることを特徴とする。
【請求項３】
請求項２に記載の改良型牧草分配装置であって、
傾斜プラットフォーム(11, 12)は、異なるベール(4)容量を有することを特徴とする。
【請求項４】
請求項１乃至３のいずれかに記載の改良型牧草分配装置であって、
少なくとも1面の傾斜プラットフォーム(11, 12)の傾斜手段は、その第1端部（11.1, 12.1）の駆動手段、および、その第2端部（11.2, 12.2）に1本の支持回転軸を有することを特徴とする。
【請求項５】
請求項１乃至４のいずれかに記載の改良型牧草分配装置であって、
少なくとも1面の傾斜プラットフォーム(11, 12)は、動力車（1）の第1の積載位置を備え、第1端部（11.1, 12.1）は、その第2端部（11.2, 12.2）よりも高くなるように傾斜しており、第2の積載位置は、少なくとも1面の傾斜プラットフォーム(11, 12)がほぼ水平の傾斜になっていることにより、第1端部（11.1, 12.1）は、第2端部（11.2, 12.2）よりも高くなっており、第3の積載位置は、少なくとも1面の傾斜プラットフォーム(11, 12)が、動力車（1）側に傾斜しており、第2端部（11.2, 12.2）の下方に第1端部（11.1, 12.1）が位置していることを特徴とする。
【請求項６】
請求項１乃至５のいずれかに記載の改良型牧草分配装置であって、
少なくとも1面の傾斜プラットフォーム(11, 12)は、後方傾斜プラットフォームであり、第2の積載位置の固定手段を有することを特徴とする。
【請求項７】
請求項６に記載の改良型牧草分配装置であって、
前記第2の積載位置の固定手段は、その第1端部（15.1）上にある折り畳み式接続支持棒（15）から構成され、それらは収容部（3）の側面に固定され、前記第2の積載位置の第2端部（15.2）は、前述の傾斜プラットフォーム(11)の基部の各側面にそれぞれ結合されていることを特徴とする。
【請求項８】
請求項６または７に記載の改良型牧草分配装置であって、
少なくとも１面の後方傾斜プラットフォーム(11)は、第1端部(11.1)のベール(4)保持手段を少なくとも１つ有することを特徴とする。
【請求項９】
請求項１乃至８のいずれかに記載の改良型牧草分配装置であって、
少なくとも1面の傾斜プラットフォーム(11, 12)と動力車（1）の保持手段は、少なくとも２本の側方支持棒(19)および水平連結棒（17）から構成され、その中間で、いずれかの傾斜プラットフォーム(11, 12)の第2端部（11.2, 12.2）を支えること特徴とする。
【請求項１０】
請求項１乃至９のいずれかに記載の改良型牧草分配装置であって、
少なくとも1面の傾斜プラットフォーム(11, 12)は、その傾斜プラットフォームの第2端部（11.2, 12.2）に、ベール(4)の第2の保持手段を少なくとも１つ有することを特徴とする。
【請求項１１】
請求項４に記載の改良型牧草分配装置であって、
少なくとも１面の傾斜プラットフォーム(11, 12)の第1端部の作動手段は、空気圧又は油圧シリンダ（14）から構成されることを特徴とする。
【請求項１２】
請求項１乃至１１のいずれかに記載の改良型牧草分配装置であって、
少なくとも1面の傾斜プラットフォーム(11, 12)は、少なくとも１つのベール(4)側方保持手段を有することを特徴とする。
【請求項１３】
請求項１２に記載の改良型牧草分配装置であって、
ベール(4)側方保持手段は、少なくとも１面の傾斜プラットフォーム(11, 12)の各側面から突き出る少なくとも1本の傾斜横棒を有することを特徴とする。
【発明の詳細な説明】
【技術分野】
【０００１】
本発明は、牧草分配の行われる牧草地において、動物用飼料としての牧草の分配に使用される装置に関する。
【背景技術】
【０００２】
農場では、牛または他の動物の飼料に使用される牧草は非常に重要である。牧草の最も一般的な保存方法の一つは、牧草をベール梱包し、動物に飼料として与える時点まで保管することである。現在、最も一般的に使用されているベールは、従来の直方体のベールより大きい円柱状のベールである。
【０００３】
成型されたベールが得られると、次の工程は、動物に飼料として与える工程であり、ベールにした牧草を細断し、牧草地に均一に分配する。
【０００４】
この工程を行うには、様々な種類の機械があるが、最も一般的な機械はベールを歯車、ローラーなどで切り刻む装置を備えるものである。これらの機械は、切り刻んだ牧草が無駄にならない畜舎で飼料を与えるのに適しているが、放牧地で分配を行うには適していないという欠点がある。
【０００５】
ベール状牧草分配の他の方法は、この工程を手動で行うことである。この場合、トラクターのトレーラーにベールを積み、牧草地を移動しながら、トレーラーに乗る作業者が、熊手で牧草を取り、トラクターの進度に合わせて分配する。
【０００６】
この方法では、トラクターの運転手とトレーラーに乗る作業者の2人が必要になり、時間のかかる行程であるのに加え、トレーラーに乗る作業者の体力に依存するため、円柱状のベールなどの大型ベールは、この方法では非常にコストがかかるという欠点がある。 
【０００７】
また、これらのベールを積載し、移動しながら解体し、牧草を放牧地へ分配するトレーラー搭載型機械もいくつかある。
【０００８】
先行技術の一例として、下記の特許文献１乃至３を挙げる。
【０００９】
特許文献１は、円柱状のベールを用いて牧草を分配する機械に関するもので、この機械は、チェーンによって駆動されるスパイク付きスラットによってベールが回転されるフレームで構成される。ベールを解体しながら、機械の側面に牧草を落としていく。
【００１０】
この機械は、スパイク付きスラットがベールを均一に解体しない欠点があり、牧草は、装置から牧草地に不規則に落とされる。さらに、ベールを分配するのに1個のベールしか積載出来ず、最初のベールが終わると、次のベールを積載するのに移動する必要がある。
【００１１】
特許文献２は、トレーラーに搭載される機械に関するもので、この機械には、いくつかのパドルを有する一つの軸があり、ベールを分解し、牧草を引き出し、チェーン駆動のスラットの上に落とし、トレーラー外に分配する。パドルを有する別の軸があり、スラットにより構成されるコンベヤがトレーラーから一度に大量の牧草を排出するのを防止する。
【００１２】
この機械により、前述の機械の状態は改善されるが、互いに直交する軸を複数有するため、方向転換用のギアを複数伴うことになり、故障の可能性が大きくなり、非常に複雑である。さらに、円柱状ベールを使用する場合、この装置はそれほど効率的でない。
【００１３】
これら先行技術の欠点を解決するため、出願人自身の名義である特許文献３で定義される牧草分配装置がある。
【００１４】
本文献は、いくつかの移動手段として適応可能な装置に関するもので、円柱状の飼料用ベールを後方へと移動させるいくつかの駆動手段を有するベール解体部を備え、そこでは1本の水平軸と一連の羽板が交差し、回転運動によりベールを後方部へ回転させながら押し出す。このベールの後方への回転移動は、前方への移動と統合し、駆動手段によりベールは分解され、装置後部から排出され、移動手段により移動しながら牧草地に分配される。
【００１５】
同様に、解体部前方にベール収容部を備えるが、解体部にある全ベールの分配が終了すると、傾斜運動により、その解体部には、新しいベールが収容され、分配が開始される。
【００１６】
この分配装置は、前述の装置と比較して著しい利点を有する。従って、牧草地に飼料を分配しながら、本装置の移動手段を運転する作業者一人で操作することが可能であり、ベールがなくなると、第2のベールを収容部から解体部へと移動させる手段が作動し、新たなベールの分配を継続することができる。このため、本装置により大容量の飼料用ベールを処理することができ、次のベールを積むためにベール保管場所へ装置を移動する時間が削減できる。
【００１７】
これによれば、作業者の人数を最小限にし、分配時間の短縮を達成できるので、分配において、その生産性を高めることが可能になる。同様に、燃料が節約でき、この装置により分配できる面積は増大され、より簡単な操作、および単純なメカニズムであるため、故障やメンテナンスの問題はそれほど発生しない。
【先行技術文献】
【特許文献】
【００１８】
【特許文献１】英国特許出願公開第２１５８１１１号明細書
【特許文献２】米国特許第３０３５７２９号明細書
【特許文献３】西国特許出願公開第１０５６９３４−Ｕ号明細書
【発明の概要】
【発明が解決しようとする課題】
【００１９】
しかしながら、この装置は、依然として上述の欠点を有する。なおかつ、1個または2個の追加ベールの収容部を備えるが、これは、実際には不十分である。広大な農場では、この分配装置装の能力は不十分で、装置操作1回につき２個または３個のベールでは、一般的な農場の面積全体をカバーできない。そうすると、装置に積載したベールの分配が終了すると、装置に接続されたトラクターは農場の保管場所に戻る必要があり、そこで更に２個または３個のベールを装置に積載しなければならず、新しいベールの分配を継続するために、最初の積載を行った地点に戻る必要がある。
【００２０】
これは膨大な時間の無駄、燃料費の増加、牧草地における分配時間の延長となり、生産性が低下することになる。
【００２１】
さらに、牧草地全体に最短時間で飼料を供給できず、新たなベールを装置に積載するために戻る必要があるため、供給を中断しなければならず、動物自身に対してもいくつかの影響を及ぼすことになる。
【００２２】
したがって、時間に余裕のある場所で、飼料を牧草地に均等に分配すれば、動物は自身で牧草を分配し、通常のペースで落ち着いて食べることができ、行動範囲に十分な餌があるため静かな環境にいられる。動物の平穏および静かな環境は、健康を享受するために非常に重要な条件であり、それらに由来する製品は、高品質となる。
【００２３】
反対に、特許文献３のように、装置が、さらに牧草を積載するために、途中で供給を中断しなければならない場合は、保管場所に着き、同一のトラクターでベールを突き刺し積載し、戻るまでに相当な時間を要する工程となり、動物は牧草の供給が行われていた場所に集中する傾向があるため、動物同士が鉢合わせとなり、脅されたり、リーダーシップを守ろうとしたりし、最初からいた場所に置かれる飼料を支配しようとする可能性がある。
【００２４】
従って、他の動物が既に自分のものとみなしている餌を求めることを余儀なくされるため、最初の供給場所に置かれると、動物は、それを守る必要があるため、ストレスを受ける望ましくない状況に置かれるため、製品の質が低下することになる。
【課題を解決するための手段】
【００２５】
本発明は、家畜に牧草を分配するために使用する改良型牧草分配装置であり、牧草の分配が行われる場所における移動手段に適応可能な動力車で構成される。
【００２６】
この動力車は、進行方向後方に解体部、前方にベール収容部を備え、解体部側に傾斜している。
【００２７】
この解体部には、第1の剥離面があり、その上に第1の円柱状の牧草ベールを設置する。一方、収容部には、第2の収容傾斜面があり、少なくとも１個の追加ベールに適している。
【００２８】
ベールを解体し、分配するため、解体部には車末端方向に第1のベールを駆動させる手段をいつくか有し、解体されたベールの排出口を備え、その高さは、駆動手段作動と同時に水平軸の周囲を回転する一連の羽板によって定義され、その作動により解体部の前方にベールを押し、ベールを回転させ、解体を行う。
【００２９】
本改良型牧草分配装置は、さらに少なくとも一つの格納および積み下ろし用第1の傾斜プラットフォームを有し、それは第1の剥離面の高さまたは第2の格納傾斜面の高さに位置し、その高さは前述の各面に置かれたベールの直径よりも高く、少なくとも傾斜プラットフォーム１面は、ベールを動力車に積み下ろす第1端部とベール保持に対向する第2端部を有する。
【００３０】
また、少なくとも傾斜プラットフォームの1面は、ベールの保持手段および傾斜手段を有する。
【００３１】
好ましい実施形態では、改良型牧草分配装置は、傾斜プラットフォームを2面備えており、一面は進行方向前方、もう一面は後方に位置し、交互に作動可能であり、両面の第2端部間のそれぞれの距離は2面の傾斜プラットフォームの長さの合計より大きくなるように配置されるため、従ってそれら2面の第1端部は、それらの傾斜軌道に全く触れることはない。
【００３２】
上記2面の傾斜プラットフォームは、他の好ましい実施形態によれば、それぞれ異なるベール容量を有する。
【００３３】
本発明の別の態様によれば、好ましい実施形態では、少なくとも１面の傾斜プラットフォームの傾斜手段は、その第1端部のいくつかの作動手段および、傾斜プラットフォームの第2端部に位置する1本の支持回転軸を有する。一実施形態によれば、これらの作動手段は、空気圧又は油圧シリンダーから構成される。
【００３４】
好ましい実施形態によれば、少なくとも1面の傾斜プラットフォームは、動力車に第1の積載位置があり、傾斜を有するため、第1端部は第2端部よりも高い位置にある。同様に第2のベール積載位置があり、少なくとも1面の傾斜プラットフォームは、水平に近い傾斜に配置されており、そのため第1端部は第2端部よりも高い位置にある。そして、第3の積載位置のある、少なくとも1面の傾斜プラットフォームは動力車側に傾斜しており、第2端部の下方位置に第1端部がある。
【００３５】
好ましい実施形態によれば、少なくとも１面の傾斜プラットフォームが後方傾斜プラットフォームである場合、それは解体部上に位置し、第2のベール積載位置の固定手段をいくつか有する。
【００３６】
これら固定手段は、好ましい実施形態によれば、第1端部上にある折り畳み式接続支持棒によって構成され、それらは分解部のいずれかの側面にそれぞれ固定され、一方、第2の積載位置にある各支持棒の第2端部は、傾斜プラットフォーム基部の各側面にそれぞれ接続されている。
【００３７】
同様に、好ましい他の実施形態によれば、少なくとも1面の傾斜プラットフォームが、分解部上にある場合、第1端部にベール保持手段をいくつか有する。
【００３８】
少なくとも1面の傾斜プラットフォームの動力車への保持手段は、本発明の好ましい実施形態によれば、少なくとも2本の側方保持棒および1本の水平棒で構成され、それらの中間で1面の傾斜プラットフォームの第2端部を保持する。
【００３９】
好ましい実施形態によれば、少なくとも1面の傾斜プラットフォームは、第2端部に第2のベール保持手段をいくつか有する。
【００４０】
同様に、好ましい他の実施形態によれば、少なくとも1面の傾斜プラットフォームは、ベールの側方保持手段をいくつか有する。これらの側方保持手段は、好ましい実施形態によれば、少なくとも1面の傾斜プラットフォームの各側面に傾斜して突き出る1本の横棒で構成される。
【発明の効果】
【００４１】
本発明の改良型牧草分配装置により、従来技術の著しい改善が得られる。
【００４２】
分配装置のベール大容量化が実現可能となり、時間および費用が削減でき、装置への新たな積載スペースが空くため、燃料の消費削減、作業時間短縮が実現できる。
【００４３】
また、簡単な装置であるため、多くの修理を必要とせず、大きな故障を起こさない。同様に、本装置は、従来技術のものよりも容量が大きいにもかかわらず、大きな追加投資を必要としない。装置への積載は、装置を移動させるための手段を構成する同一のトラクターを用いて実施されるため、それら作業用のクレーンは不要になり、さらに、これらの移動手段は、大きな力は不要で、75馬力未満のトラクターで問題なく移動可能であり、したがって、それに必要な投資が少なくて済む。
【００４４】
必要な作業者は唯一人で、移動手段の運転、同様に、動力台車に積載した最初ベールの分配終了後、新しいベールの積み下ろしも行うため、生産性の向上も実現される。
【００４５】
また、動物福祉と経済の両方の観点から、それらは関連しているため、大きな利点となる。したがって、動物が健康で、快適で心地よい生活を送っている場合は、それから得られる製品は非常に高品質なものであり、動物が不快に感じたり、配慮されなかったり、ストレスを与えられている場合、その逆である。
【００４６】
このように、本改良型牧草分配装置は、時間内に牧草地全体に、より均等に牧草を分配できるため、動物は、遠隔地に移動することなく、あるいは、飼料を得るために他の動物と対抗することなく、簡単に餌を見つけることができる。したがって、動物はより一層穏やかにリラックスして共存できるため、生活の質が高められ、高品質の製品が生み出される。
【００４７】
本発明の理解を助けるために、その好ましい実用的な実施形態により、当該説明の本質的部分として、一連の図面を、例示的かつ非限定的に、次のように表す。
【図面の簡単な説明】
【００４８】
【図１】改良型牧草分配装置の斜視図であり、動力車の第2の収容傾斜面の第1の積載位置に傾斜プラットフォームを備える本発明の好ましい実施形態を示す。
【図２】改良型牧草分配装置の斜視図であり、上記の傾斜プラットフォームの第2の積載位置に傾斜プラットフォームを備える本発明の好ましい実施形態を示す。
【図３】改良型牧草分配装置の斜視図であり、第3の積載位置に傾斜プラットフォームを備える本発明の好ましい実施形態を示す。
【図４】改良型牧草分配装置の概略断面図であり、傾斜プラットフォームを備える本発明の好ましい実施形態を示す。
【発明を実施するための形態】
【００４９】
図面を参照すると、本発明の好ましい実施形態に係る改良型牧草分配装置は、牛用飼料分配に使用され、飼料分配の行われる牧草地におけるいくつかの移動手段に適合可能な動力車（1）によって構成される。
【００５０】
図1から図4に示されるように、動力車（1）は、進行方向後方に、第1の剥離面（2.1）を有する解体部（2）を備え、前方に2個の追加ベール（4）に適した第2の傾斜面（3.1）を有するベール収容部（3）を備える。収容部（3）は、解体部（2）側に傾斜している。
【００５１】
したがって、分配工程は、第1の剥離面（2.1）上に位置する第1の円柱状の飼料用ベール（4）および第2の傾斜面（3.1）の追加ベール2個（4）をもって開始される。第1の剥離面（2.1）のある解体部（2）は、第1の円柱状のベール（4）を動力車の末端方向に移動させる駆動手段をいくつか有する。この最終部に、動力車（1）は、解体されたベールの排出口（5）を備え、その高さは、水平軸の周囲を回転する2枚の羽板（6）で定義される。
【００５２】
これによれば、羽板（6）は、解体部（2）に位置するベール（4）を前方に押し、駆動手段の作動と同時に後方に移動させ、回転させながらベール（4）を分解し、排出口（5）から出す。
【００５３】
本発明の好ましい実施形態によれば、図4に示されるように、駆動手段は、第1の剥離面（2.1）側面に沿って動く２つのチェーン（8）から構成され、それらチェーンは、第1の剥離面（2.1）の前側方および後側方に位置する水平軸の両端に取り付けられた一対の車輪およびチェーン（8）に接続する数本の棒（9）が第1の剥離面（2.1）上を摺動することにより駆動される。同様に、各棒（9）はこれに垂直な複数のスパイクを有するため、牧草の牽引が改善される。
【００５４】
なお、本改良型分配装置は、進行方向前方および後方に、格納積み下ろし用の傾斜プラットフォーム(11, 12)を2面備え、後方傾斜プラットフォーム（11）は、図1から図3に示されるように、第1の剥離面（2.1）の高さに位置し、その高さは第1の剥離面（2.1）に位置するベール（4）の直径よりも高い。一方、前方傾斜プラットフォーム（12）は、第2の収容斜面（3.1）の高さに位置し、その高さは、第2の収容斜面（3.1）に位置するベール（4）の直径よりも高い。
【００５５】
同様に、後方傾斜プラットフォーム（11）および前方傾斜プラットフォーム（12）は、両方とも動力車（1）にベールを積み下ろす第1端部（11.1, 12.1)および、ベール保持の反対側に第2端部(11.2, 12.2)を備える。
【００５６】
さらに、本改良型分配装置は、保持手段および傾斜プラットフォーム(11, 12)の傾斜手段をいくつか有する。
【００５７】
両傾斜プラットフォーム(11, 12)は、交互に作動可能であり、各第2端部(11.2, 12.2) 間の距離は、両傾斜プラットフォーム(11, 12)の長さの合計よりも大きくなるように配置される。
【００５８】
同様に、図1から図3に示されるように、後方傾斜プラットフォーム（11）は、2個のベール（4）の積載に適しており、一方、前方傾斜プラットフォーム（12）の容量は、ベール（4）１個のみである。
【００５９】
これら傾斜プラットフォーム(11, 12)の傾斜手段は、本発明の好ましい実施形態によれば、各第2端部(11.2, 12.2)に位置する1本の支持回転軸（13）および各プラットフォームの第1端部(11.1, 12.1)の作動手段により構成され、この場合、プラットフォームの各側面は、油圧シリンダ（14）から構成される。
【００６０】
両傾斜プラットフォーム(11, 12)は、3つの位置を有する。各傾斜プラットフォームには、動力車（1）の第1の積載位置があり、図1に示されるように、両傾斜プラットフォームはその第1の位置にあり、傾斜しているため、第1端部（11.1, 12.1)は、各第2端部(11.2, 12.2)よりも高い位置にある。
【００６１】
図2に示されるように、両傾斜プラットフォーム(11, 12)には、第2の積載位置があり、2面のプラットフォームは、ほぼ水平な位置にあるが、第1端部（11.1, 12.1)は、各第2端部(11.2, 12.2)よりも高い位置にある。
【００６２】
両傾斜プラットフォーム(11, 12)は、交互に作動可能であるため、一つの可能な状況として、図4に示されるように、前方傾斜プラットフォーム（12）は、第2の積載位置にあり、一方、後方傾斜プラットフォーム（11）は、第3の積載位置にあり、動力車（1）のベール（4）の分配が終了すると、分解を継続するために動力車（1）に新たなベール（4）を積載する。
【００６３】
この場合、後方傾斜プラットフォーム（11）は、動力車（1）側に傾斜しており、その第1端部（11.1）は、第2端部（11.2）より下に位置する。
【００６４】
後方傾斜プラットフォーム（11）が、分解部（2）上に位置する場合、この傾斜プラットフォームは、第2のベール積載位置の固定手段をいくつか有し、本発明の好ましい実施形態によれば、これらは収容部（3）の各側面の一方に固定される第１端部（15.1）上の2本の折畳み式保持棒（15）で構成される。この第2の位置の2本の支持棒の第2端部（15.2）は、後方傾斜プラットフォーム（11）の基部の各側面にそれぞれ接続されている。
【００６５】
この後方傾斜プラットフォーム（11）は、また、その第1端部(11.1)に、ベール（4）の第1の保持手段をいくつか有し、好ましい実施形態によれば、これは1本の閉鎖棒（16）から構成され、一方、後方傾斜プラットフォーム（11）および前方傾斜プラットフォーム（12）は、その第2端部（15）に、第2のベール（4）保持手段を有しており、これは数本の保持棒（7）から構成される。
【００６６】
また、両傾斜プラットフォーム(11, 12)は、ベール（4）側方保持手段をいくつか有し、好ましい実施形態によれば、図1から図3に示されるように、これらは各傾斜プラットフォーム(11, 12)のいずれかにそれぞれ、傾斜して突き出る横棒（18）2本から構成される。
【００６７】
図1から3に示されるように、両傾斜プラットフォーム(11, 12)の動力車（1）への保持手段は、好ましい実施形態によれば、各傾斜プラットフォーム側方にある2本の側方保持棒（19）およびそれらを接続する1本の水平棒（17）から構成される。これら水平接続棒（17）に、各傾斜プラットフォーム(11, 12)の第2端部（11.2, 12.2）が接続される。
【産業上の利用可能性】
【００６８】
本発明の改良型牧草分配装置により、従来技術の著しい改善が得られる。
【００６９】
本発明の改良型分配装置により、積載量の大容量化が実現可能となり、牧草地において飼料を一定時間内に均一に分配することが可能になる。
【００７０】
新たなベールを積載するために倉庫に戻る時間が削減されるため、作業時間の削減が可能となり、また燃料消費および大気中へのCO2排出量を削減でき、本装置は唯一人で操作可能であるため、プロセスの生産性が向上される。
【００７１】
また、簡単な装置であるため、多くの修理を必要とせず、大きな故障を起こさない。
【００７２】
同様に、トラクターなど、本装置の移動手段への投資は、低容量である既存の装置への投資より大きくなく、75馬力未満のトラクターで、本発明の装置を移動させることが十分に可能である。このトラクターは本装置の積載の役割を果たすため、追加のクレーンは不要である。
【００７３】
これら要因に加え、本装置の重要な利点は、給餌される動物の生活条件である。一定時間内に餌を均一に分配することがでるため、プロセス完了にかかる時間が短縮される。より多くのベールを備えることにより、先行技術の装置よりもはるかに広範囲にわたり分配が可能となるため、動物は均等に十分な飼料を得られるため、より穏やかで落ち着いた環境にいられる。
【００７４】
このバランスのとれたストレスのない生活により、動物は幸せかつ健康でいられるため、より高品質な製品を生み出すことができる。
【図１】
2017509313.tif 000003
【図２】
2017509313.tif 000004
【図３】
2017509313.tif 000005
【図４】
2017509313.tif 000006
【国際調査報告】
2017509313.tif 000007
2017509313.tif 000008
2017509313.tif 000009
2017509313.tif 000010
2017509313.tif 000011
2017509313.tif 000012
2017509313.tif 000013
2017509313.tif 000014